(57)【特許請求の範囲】
【請求項１】
横断面が略逆台形状である水路に設置され、水路の底部で支持されて、上流側の起立位置と下流側の倒伏位置との間で回動可能な略方形状の扉体と、この扉体の左右の側部に内辺部が固定され、外辺部が水路の傾斜側壁に固定された略逆三角形状の可撓性膜体とからなる起伏ゲートであって、
前記膜体は、流体の給排気で膨張・収縮可能な中空袋に形成されるとともに、この膜体の上辺部のほぼ全長に亘って、剛性の突起体が取付けられ、
この突起体は、前記膜体と同様の素材であるゴム引き布の厚みを、前記膜体のゴム引き布の約２倍に厚くし、略Ω字状に折り重ねて約４倍の厚みとして剛性を高め、両下端部を前記膜体の上辺部に強固に接着していることを特徴とする起伏ゲート。
【請求項２】
横断面が略逆台形状である水路に設置され、水路の底部で支持されて、上流側の起立位置と下流側の倒伏位置との間で回動可能な略方形状の扉体と、この扉体の左右の側部に内辺部が固定され、外辺部が水路の傾斜側壁に固定された略逆三角形状の可撓性膜体とからなる起伏ゲートであって、
前記膜体の上辺部のほぼ全長に亘って、剛性のフロート体が取付けられ、
このフロート体は、発泡ポリエチレン製等の固形棒状体であり、前記膜体の上辺部を外周囲に巻き付けて強固に接着し、
前記水路の傾斜側壁には、前記扉体の倒伏位置前記でフロート体を収納するための収納溝が形成されていることを特徴とする起伏ゲート。
【発明の詳細な説明】
【技術分野】
【０００１】
本発明は、水路に設置される起伏ゲートに関する。
【背景技術】
【０００２】
従来、図７（ａ）（ｂ）に示すように、横断面が略逆台形状である水路１に設置され、水路１の底部で支持されて、上流側の起立位置と下流側の倒伏位置との間で回動可能な略方形状の扉体２と、この扉体２の左右の側部に内辺部３ａが固定され、外辺部３ｂが水路の傾斜側壁１ａに固定された略逆三角形状の可撓性膜体３とからなる起伏ゲート４がある（特許文献１参照）。
【０００３】
前記膜体３は、図７（ａ）（ｂ）の無水状態（施工時）では、上辺部３ｃが真っ直ぐになるように設定されているが、図７（ｃ）（ｄ）の有水状態（使用時）では、水圧ａの影響を受けて、上辺部３ｃが下向き湾曲状に変形し、この部分から越流ｂするようになるので、堰高Ｈ１が実質的にＨ２まで低下するという問題があった。
【０００４】
このために、可撓性膜体３にリンクチェーンと鋼棒群とを設けて、水圧で上辺部３ｃが下向き湾曲状に変形するのを抑制するものが提案されている（特許文献２参照）。
【０００５】
なお、流体の注排で膨張・収縮可能な中空袋に形成された膜体３も提案されている（特許文献３参照）。
【特許文献１】特開昭４７−２１９３２号公報
【特許文献２】特許第３９８８０７１号公報
【特許文献３】実公昭５８−４９２２８号公報
【発明の開示】
【発明が解決しようとする課題】
【０００６】
しかしながら、特許文献２では、リンクチェーンや鋼棒群等を必要とするので、構造が複雑で高価になる。また、特許文献３では、水圧で上辺部が下向き湾曲状に変形するのを充分に抑制することが困難である。
【０００７】
本発明は、前記問題を解消するためになされたもので、水圧で上辺部が下向き湾曲状に変形するのを充分に抑制できるとともに、構造がきわめて簡単で、コスト安な起伏ゲートを提供することを目的とするものである。
【課題を解決するための手段】
【０００８】
前記課題を解決するために、本発明の請求項１は、横断面が略逆台形状である水路に設置され、水路の底部で支持されて、上流側の起立位置と下流側の倒伏位置との間で回動可能な略方形状の扉体と、この扉体の左右の側部に内辺部が固定され、外辺部が水路の傾斜側壁に固定された略逆三角形状の可撓性膜体とからなる起伏ゲートであって、前記膜体は、流体の給排気で膨張・収縮可能な中空袋に形成されるとともに、この膜体の上辺部のほぼ全長に亘って、剛性の突起体が取付けられ、この突起体は、前記膜体と同様の素材であるゴム引き布の厚みを、前記膜体のゴム引き布の約２倍に厚くし、略Ω字状に折り重ねて約４倍の厚みとして剛性を高め、両下端部を前記膜体の上辺部に強固に接着していることを特徴とする起伏ゲートを提供するものである。
【０００９】
本発明の請求項２は、横断面が略逆台形状である水路に設置され、水路の底部で支持されて、上流側の起立位置と下流側の倒伏位置との間で回動可能な略方形状の扉体と、この扉体の左右の側部に内辺部が固定され、外辺部が水路の傾斜側壁に固定された略逆三角形状の可撓性膜体とからなる起伏ゲートであって、前記膜体の上辺部のほぼ全長に亘って、剛性のフロート体が取付けられ、このフロート体は、発泡ポリエチレン製等の固形棒状体であり、前記膜体の上辺部を外周囲に巻き付けて強固に接着し、前記水路の傾斜側壁には、前記扉体の倒伏位置で前記フロート体を収納するための収納溝が形成されていることを特徴とする起伏ゲートを提供するものである。
【発明の効果】
【００１０】
本発明の請求項１によれば、流体の給排気で膨張・収縮可能な中空袋に形成した膜体の上辺部のほぼ全長に亘って、剛性の突起体を取付けたから、この剛性の突起体により、水圧で上辺部が下向き湾曲状に変形するのを充分に抑制することができるので、堰高の低下を未然に防止できるようになる。また、膜体に突起体を取付けるだけであるから、構造がきわめて簡単で、コスト安になる。
【００１１】
本発明の請求項２によれば、膜体の上辺部のほぼ全長に亘って、剛性のフロート体を取付けたから、この剛性のフロートにより、水圧で上辺部が下向き湾曲状に変形するのを充分に抑制することができるので、堰高の低下を未然に防止できるようになる。また、膜体にフロートを取付けるだけであるから、構造がきわめて簡単で、コスト安になる。
【発明を実施するための最良の形態】
【００１２】
以下、本発明を実施するための最良の形態について、図面を参照しながら詳細に説明する。
【００１３】
図１〜３は、第１実施形態の起伏ゲート６Ａである。水路１は、横断面が略逆台形状に形成されていて、起伏ゲート６Ａは、この水路１に設置されている。
【００１４】
水路１の底部１ｂには、ヒンジ部材７により、上流側の起立位置Ｕと下流側の倒伏位置Ｄとの間で回動可能な略方形状の鉄製扉体２が支持されている。
【００１５】
この扉体２の下流側の底部１ｂには、ゴム引き布製の空気袋８が配置されて、給排気パイプ９からの空気の給気による空気袋８の膨張で扉体２が起立位置Ｕに上回動されるとともに、空気の排気による空気袋８の収縮で扉体２が倒伏位置Ｄに下回動されるようになる。この起立位置Ｕの扉体２の上端高さが堰高Ｈ１となる。なお、５は、扉体２の引留帯である。
【００１６】
略逆三角形状のゴム引き布製の可撓性膜体３Ａは、扉体２の左右の側部に内辺部３ａが固定され、外辺部３ｂが水路１の傾斜側壁１ａに固定されている。上辺部３ｃは、傾斜側壁１ａ側に向かって堰高Ｈ１よりも高くなるように徐々に傾斜させられている。
【００１７】
第１実施形態の膜体３Ａは、特許文献３と同様に、空気（流体）の給排気で膨張・収縮可能な中空袋に形成されていて、扉体２の空気袋８とほぼ同じタイミングで空気が給排気されるようになる。すなわち、空気袋８の膨張で扉体２が起立位置Ｕに上回動される時に、給排気パイプ１０からの空気の給気によって上下流方向に偏平状態で膨張するとともに、空気袋８の収縮で扉体２が倒伏位置Ｄに下回動される時に、給排気パイプ１０からの空気の排気によって上下流方向に偏平状態で収縮するようになる。
【００１８】
この膜体３Ａの上辺部３ｃのほぼ全長に亘って、剛性の突起体１１が取付けられている。この突起体１１は、図３（ｂ）に詳細に示すように、膜体３Ａと同様の素材であるゴム引き布の厚みを厚くし（本例では、膜体３のゴム引き布の約２倍）、略Ω字状に折り重ねて剛性を高めたもので（厚みｔは約４倍となる。）、両下端部１１ａを膜体３Ａの上辺部３ｃに強固に接着している。
【００１９】
第１実施形態の起伏ゲート６Ａであれば、空気の給排気で膨張・収縮可能な中空袋に形成した膜体３Ａの上辺部３ｃのほぼ全長に亘って、剛性の突起体１１を取付けたから、この剛性の突起体１１により、水圧で上辺部３ｃが下向き湾曲状に変形するのを充分に抑制することができるので、堰高Ｈ１の低下を未然に防止できるようになる。また、膜体３Ａに突起体１１を取付けるだけであるから、構造がきわめて簡単で、コスト安になる。
【００２０】
図４〜６は、第２実施形態の起伏ゲート６Ｂである。第２実施形態の膜体３Ｂは、第１実施形態の膜体３Ａのような中空袋には形成されておらず、特許文献１と同様に、シート形状である。
【００２１】
この膜体３Ｂの上辺部３ｃのほぼ全長に亘って、剛性のフロート体１２が取付けられている。このフロート体１２は、図６（ｂ）に詳細に示すように、発泡ポリエチレン製等の固形棒状体であり、膜体３Ｂの上辺部３ｃを外周囲に巻き付けて強固に接着している。
【００２２】
また、水路１の傾斜側壁１ａには、扉体２の倒伏位置Ｕでフロート体１２を収納するための収納溝１ｃが形成されている。
【００２３】
第２実施形態の起伏ゲート６Ｂであれば、膜体３Ｂの上辺部３ｃのほぼ全長に亘って、剛性のフロート体１２を取付けたから、この剛性のフロート体１２により、水圧で上辺部３ｃが下向き湾曲状に変形するのを充分に抑制することができるので、堰高Ｈ１の低下を未然に防止できるようになる。また、膜体３Ｂにフロート体１２を取付けるだけであるから、構造がきわめて簡単で、コスト安になる。
【図面の簡単な説明】
【００２４】
【図１】本発明の第１実施形態の起伏ゲートの平面図である。
【図２】図１の正面図である。
【図３】（ａ）は図１の側面断面図、（ｂ）は突起体の拡大断面図である。
【図４】本発明の第２実施形態の起伏ゲートの平面図である。
【図５】図４の正面図である。
【図６】（ａ）は図５の側面断面図、（ｂ）はフロート体の拡大断面図である。
【図７】従来の起伏ゲートであり、（ａ）は無水状態の半裁正面図、（ｂ）は（ａ）の側面断面図、（ｃ）は有水状態の半裁正面図、（ｄ）は（ｃ）の側面断面図である。
【符号の説明】
【００２５】
１    水路
１ａ  傾斜側壁
１ｂ  底部
２    扉体
３Ａ，３Ｂ  可撓性膜体
３ａ  内辺部
３ｂ  外辺部
３ｃ  上辺部
６Ａ，６Ｂ  起伏ゲート
１１  突起体
１２  フロート体
Ｕ    起立位置
Ｄ    倒伏位置
【図１】
0005075663.tif 000002
【図２】
0005075663.tif 000003
【図３】
0005075663.tif 000004
【図４】
0005075663.tif 000005
【図５】
0005075663.tif 000006
【図６】
0005075663.tif 000007
【図７】
0005075663.tif 000008